(57)【特許請求の範囲】
【請求項１】
フロントケースとリアケースとからなるカメラ本体内に、撮影ユニット、ストロボユニット、表示ユニット、基板ユニットの各種の部品ユニットを備えた電子カメラにおいて、
前記撮像ユニットを位置決めするために前記フロントケース内の左上隅に配置される第１位置決め部材と、
前記ストロボユニットを位置決めするために前記フロントケース内の前記第１位置決め部材の右側に配置される第２位置決め部材と、
前記表示ユニットを位置決めするために前記フロントケース内の前記第１位置決め部材の下側に配置される第３位置決め部材と、
前記基板ユニットを位置決めするために前記フロントケース内の前記第２位置決め部材の下側で且つ第３位置決め部材の右側に配置される第４位置決め部材と、を備え、
前記各第１〜第４位置決め部材と、前記各種の部品ユニットとは前記カメラ本体の一方のケースに平面的に並べて配置され、前記カメラ本体内に相互に密接して嵌め込まれ、前記カメラ本体の他方のケースが前記カメラ本体の一方のケースに接続固定されることで前記各第１〜第４位置決め部材と前記各種の部品ユニットとが前記カメラ本体に固定されることを特徴とする電子カメラ。
【発明の詳細な説明】
【０００１】
【発明の属する技術分野】
この発明は電子カメラに関する。
【０００２】
【従来の技術】
従来、電子カメラにおいては、撮影レンズ、撮像素子、表示素子、バックライト装置、回路基板などの各種の部品を備えているが、これらの部品を別々にカメラ本体内に組み付けるのでは、組み付け作業が煩雑で面倒であるため、各種の部品を機能ごとにユニット化して組み付けることが検討されている。例えば、各種の部品のうち、撮影レンズおよび撮像素子を撮影ユニットとし、表示素子およびバックライト装置を表示ユニットとし、ＬＳＩなどの各種の電子部品を搭載した回路基板を基板ユニットとして、それぞれ一体化し、これら部品ユニットをカメラ本体内に組み付けている。
【０００３】
この場合、各種の部品ユニットをカメラ本体内に組み付ける構造としては、例えば各部品ユニットをそれぞれねじ止めによってカメラ本体内に取り付ける構造、あるいはカメラ本体内に取付ボスや取付ピンなどの取付突起部を一体に形成し、これら取付突起部によって各部品ユニットをそれぞれカメラ本体に取り付ける構造がある。
【０００４】
【発明が解決しようとする課題】
しかしながら、前者のような部品ユニットをねじ止めする取付構造では、部品ユニットごとにねじ止めしなければならないため、ねじ止め作業が面倒で、作業性が悪いばかりか、ねじが螺入するねじ穴を有するボスやリブをカメラ本体に設けなければならないため、カメラ本体の形状が複雑になり、しかもこれらボスやリブの設置スペースを確保したり、カメラ本体の強度を確保するためにカメラ本体の肉厚を厚くしたりしなければならないため、カメラ全体の小型化および薄型化を図ることができないという問題がある。
【０００５】
また、後者のような取付ボスや取付ピンなどの取付突起部で部品ユニットを取り付ける取付構造では、各部品ユニットそれぞれに合った形状に応じてそれぞれ取付突起部をカメラ本体に一体に形成しなければならないため、これら取付突起部の形状が複雑になり、これに伴ってカメラ本体の製作も面倒になるばかりか、これら取付突起部によっても、前者の場合と同様、その設置スペースを確保したり、カメラ本体の強度を確保するためにカメラ本体の肉厚を厚くしたりしなければならないため、カメラ全体の小型化および薄型化を図ることができないという問題がある。特に、強度を確保するためにカメラ本体をステンレスなどの金属板で形成することが考えられるが、金属板に取付突起部を一体に形成することは技術的に難しいという問題がある。
【０００６】
この発明の課題は、ねじや取付突起部を用いずに、部品ユニットをカメラ本体内に容易に組み付けることができるようにすることである。
【０００７】
【課題を解決するための手段】
請求項１に記載の発明は、フロントケースとリアケースとからなるカメラ本体内に、撮影ユニット、ストロボユニット、表示ユニット、基板ユニットの各種の部品ユニットを備えた電子カメラにおいて、前記撮像ユニットを位置決めするために前記フロントケース内の左上隅に配置される第１位置決め部材と、前記ストロボユニットを位置決めするために前記フロントケース内の前記第１位置決め部材の右側に配置される第２位置決め部材と、前記表示ユニットを位置決めするために前記フロントケース内の前記第１位置決め部材の下側に配置される第３位置決め部材と、前記基板ユニットを位置決めするために前記フロントケース内の前記第２位置決め部材の下側で且つ第３位置決め部材の右側に配置される第４位置決め部材と、を備え、前記各第１〜第４位置決め部材と、前記各種の部品ユニットとは前記カメラ本体の一方のケースに平面的に並べて配置され、前記カメラ本体内に相互に密接して嵌め込まれ、前記カメラ本体の他方のケースが前記カメラ本体の一方のケースに接続固定されることで前記各第１〜第４位置決め部材と前記各種の部品ユニットとが前記カメラ本体に固定されることを特徴とする電子カメラである。
この発明によれば、カメラ本体内に配置される位置決め部材によって各種の部品ユニットをそれぞれカメラ本体内に組み付けるので、カメラ本体が金属製であっても、従来例のような取付用のねじや取付突起部を用いずに、部品ユニットを位置決め部材によって簡単に且つ容易に組み付けることができる。また、位置決め部材がカメラ本体内に平面的に並んで配置されると、各位置決め部材がカメラ本体内に相互に密接して嵌め込まれるので、ねじなどの締結部材を用いなくても、これら位置決め部材をカメラ本体内に組み付けることができ、これにより各種の部品ユニットをそれぞれカメラ本体内にガタツクことなく確実に且つ良好に固定することができる。また、カメラ本体の一方のケースに位置決め部材と各種の部品ユニットとを並べて配置した後、この一方のケースに他方のケースを接続固定するので、各種の部品ユニットをカメラ本体内の正確な位置に組み込むことができると共に、各種の部品ユニットをカメラ本体内に確実に組み付けることができる。
【００１０】
【発明の実施の形態】
以下、図１〜図４を参照して、この発明の電子カメラの一実施形態について説明する。
図１はこの発明の電子カメラを前面側から見た斜視図、図２はその電子カメラを後面側から見た斜視図、図３はフロントケースに各種の部品ユニットを組み込んだ状態の斜視図、図４は図３の分解斜視図である。
この電子カメラは、図１および図２に示すように、カメラ本体１を備えている。このカメラ本体１は、フロントケース２とリアケース３とからなり、これらフロントケース２およびリアケース３のいずれも、ステンレスなどの剛性の高い金属製の薄板で形成されている。
【００１１】
この場合、フロントケース２の前面における右上隅には、図１に示すように、撮影部４が設けられ、その左側に位置する個所には光学ファインダ５が設けられ、その更に左側に位置する個所にはストロボ発光部６が設けられている。このフロントケース２とリアケース３の上面における前面左側（図２では右側）には、シャッタ釦７および第１メニュー釦８が設けられている。また、リアケース３の後面（図２では前面）における左側に位置する個所には、図２に示すように、表示部９が設けられ、その右側に位置する個所には十字方向に操作可能なカーソルキー１０が設けられ、このカーソルキー１０の上側および右側に位置する個所には、第２メニュー釦１１、電源キー１２がそれぞれ設けられているほか、表示部９の上側に位置する個所には、フロントケース２側から連続する光学ファインダ５が設けられている。
【００１２】
一方、カメラ本体１の内部には、図３および図４に示すように、撮影ユニット１３、ストロボユニット１４、表示ユニット１５、基板ユニット１６がそれぞれ第１〜第４位置決め部材１７〜２０によって位置決めされて組み込まれている。
この場合、撮影ユニット１３は、図４に示すように、ＣＣＤなどの固体撮像素子および撮影レンズからなる撮影部４と光学ファインダ５とを一体化した構造になっている。ストロボユニット１４は、ストロボ発光部６およびストロボコンデンサ部２３を一体化した構造になっている。表示ユニット１５は、表示部９に対応する液晶表示素子２１およびバックライトパネル２２を重ね合わせて一体化した構造になっている。基板ユニット１６は、ＬＳＩなどの各種の電子部品２４およびメモリカードソケット２５を回路基板２６に搭載した構造になっている。
【００１３】
また、第１〜第４位置決め部材１７〜２０は、それぞれ薄板状に形成されており、これら第１〜第４位置決め部材１７〜２０のうち、第１位置決め部材１７は、撮影ユニット１３を位置決めするためのものであり、図３および図４に示すように、フロントケース２内の左上隅（図１では右上隅）に配置される。第２位置決め部材１８は、ストロボユニット１４を位置決めするためのものであり、フロントケース２内における第１の位置決め部材１７の右側（図１では左側）に配置される。第３位置決め部材１９は、表示ユニット１４を位置決めするためのものであり、フロントケース２内における第１位置決め部材１７の下側（図３では手前側）に配置される。第４位置決め部材２０は、基板ユニット１６を位置決めするためのものであり、フロントケース２内における第２位置決め部材１８の下側（図３では手前側）で且つ第３位置決め部材１９の右側に配置される。
【００１４】
この場合、第１〜第４位置決め部材１７〜２０のうち、第１位置決め部材１７は、撮影ユニット１３が複雑な形状であるため、合成樹脂で薄板状に形成されており、これ以外の第２〜第４位置決め部材１８〜２０は、厚さの薄い金属板を適宜折り曲げた構造になっている。これらいずれの位置決め部材１７〜２０も、カメラ本体１の外部からの衝撃に対し各部品ユニット１３〜１６をそれぞれ保護するように構成されている。また、これら第１〜第４位置決め部材１７〜２０は、フロントケース２内に平面的に並んで配置されると、第１〜第４位置決め部材１７〜２０が相互に密接した状態でフロントケース２内に嵌め込まれ、これにより第１〜第４位置決め部材１７〜２０がフロントケース２内の所定位置に組み付けられるように構成されている。
【００１５】
すなわち、第１位置決め部材１７が撮影ユニット１３を位置決めした状態でフロントケース２内の左上隅に配置され、第２位置決め部材１９がストロボユニット１４を位置決めしてフロントケース２内における第１の位置決め部材１７の右側に配置され、第３位置決め部材１９が表示ユニット１４を位置決めしてフロントケース２内における第１、第２位置決め部材１７、１８の下側に配置され、第４位置決め部材２０が基板ユニット１６を位置決めしてフロントケース２内における第３位置決め部材１９の右側に配置されると、これら第１〜第４位置決め部材１７〜２０が相互に当接し合ってフロントケース２内に嵌め込まれ、これによりフロントケース２内に固定されている。そして、図３には図示していないがリアケース３をフロントケース２にねじ止めや嵌め込みなどで固定することにより、第１〜第４位置決め部材１７〜２０及び各部品ユニット１３〜１６は完全に固定される。
【００１６】
このように、この電子カメラによれば、撮影ユニット１３、ストロボユニット１４、表示ユニット１５、基板ユニット１６がそれぞれ第１〜第４位置決め部材１７〜２０によって位置決めされてカメラ本体１内に組み付けられるので、カメラ本体１が金属製であっても、従来例のような取付用のねじや取付突起部を用いずに、各種の部品ユニット１３〜１６を第１〜第４位置決め部材１７〜２０によって簡単に且つ容易に組み付けることができると共に、カメラ本体１をステンレスなどの金属板で形成することにより、剛性が高く強度的に強いものを得ることができる。また、各種の部品ユニット１３〜１６の取り外しが容易になるので修理や交換時の作業が容易になる。さらに、第１〜第４位置決め部材１７〜２０の配置を変更することにより各種の部品ユニット１３〜１６の配置も変更することができるので部品ユニットの配置変更が容易である。
【００１７】
この場合には、フロントケース２とリアケース３が合わさって固定され、特に第１〜第４位置決め部材１７〜２０がカメラ本体１内に平面的に並んで配置されると、第１〜第４位置決め部材１７〜２０が相互に当接し合ってカメラ本体１内に嵌め込まれるので、ねじなどの締結部材を用いなくても、これら第１〜第４位置決め部材１７〜２０によって各種の部品ユニット１３〜１６をそれぞれカメラ本体１内にガタツクことなく確実に且つ良好に固定することができる。このときに、第１〜第４位置決め部材１７〜２０をそれぞれ両面接着テープなどの接着部材でカメラ本体１に接着すれば、より一層、確実に且つ強固に固定することができる。さらに、フロントケース２の形状に凸部分等があればそれに合わせて第１〜第４位置決め部材１７〜２０の形状を変えて組み合うようにすれば、さらに確実に固定できる。また、フロントケース２内にこれら第１〜第４位置決め部材１７〜２０を嵌め込むようにしたが、もちろんリアケース３に嵌め込むようにしてもよい。
【００１８】
また、この電子カメラでは、第１〜第４位置決め部材１７〜２０が薄板状に形成されてカメラ本体１内に平面的に並んで配置されるので、カメラ本体１内における第１〜第４位置決め部材１７〜２０の設置スペースをほとんど必要としない程度に最小限に抑えることができると共に、カメラ本体１をステンレスなどの薄い金属板で形成しても、十分に強度を確保することができ、これによりカメラ全体の小型化および薄型化を図ることができる。因みに、この実施形態では、厚みが約１１．３ｍｍで、横の長さが約８８ｍｍで、縦の長さが約５５ｍｍで、重さが約８５ｇの軽量でカード型のきわめて薄い電子カメラを得ることができる。
【００１９】
【発明の効果】
以上説明したように、この発明によれば、各種の部品ユニットをそれぞれ位置決め部材によってカメラ本体内に組み付けているので、カメラ本体が金属製であっても、従来例のような取付用のねじや取付突起部を用いずに、部品ユニットを位置決め部材によって簡単に且つ容易に組み付けることができる。この場合、位置決め部材がカメラ本体内に平面的に並んで配置されると、各位置決め部材がカメラ本体内に相互に密接して嵌め込まれるので、ねじなどの締結部材を用いなくても、これら位置決め部材をカメラ本体内に組み付けることができ、これにより各種の部品ユニットをそれぞれカメラ本体内にガタツクことなく確実に且つ良好に固定することができる。また、フロントケースとリアケースとからなるカメラ本体の一方のケースに位置決め部材と各種の部品ユニットとを並べて配置した後、この一方のケースに他方のケースを接続固定するので、各種の部品ユニットをカメラ本体内の正確な位置に組み込むことができると共に、各種の部品ユニットをカメラ本体内に確実に組み付けることができる。
【図面の簡単な説明】
【図１】この発明の電子カメラを前面側から見た斜視図。
【図２】図１の電子カメラを裏面側から見た斜視図。
【図３】図１のフロントケース内に各種の部品ユニットを組み込んだ状態を示した斜視図。
【図４】図３の分解斜視図。
【符号の説明】
１  カメラ本体
２  フロントケース
３  リアケース
１３  撮影ユニット
１４  ストロボユニット
１５  表示ユニット
１６  基板ユニット
１７  第１位置決め部材
１８  第２位置決め部材
１９  第３位置決め部材
２０  第４位置決め部材
【図１】
0003693040.tif 000002
【図２】
0003693040.tif 000003
【図３】
0003693040.tif 000004
【図４】
0003693040.tif 000005